(57)【特許請求の範囲】
【請求項１】
ディジタルテレビ放送にてＲＦ入力信号を増幅する電力増幅器システムにおいて、
入力信号を受信し変調し、それより変調された第一の信号を提供する信号変調手段と、
閉成した際に該入力信号を該信号変調手段に供給する第一のスイッチ手段と、
少なくとも一つの電力増幅器と、
閉成した際にＤＣ電源電圧を該電力増幅器に印加する第二のスイッチ手段と、
該電力増幅器の動作を監視し、該信号変調手段と該第一及び第二のスイッチ手段とを制御する監視制御手段と、
前記入力信号を検出し、検出した該入力信号の平均入力パワーを表わす平均入力パワー信号を提供する第一のパワー検出手段と、
該増幅器の出力端子に接続され、平均出力パワーを表わす平均出力パワー信号を提供する第二のパワー検出手段とを有し、
前記第一のパワー検出手段又は前記第二のパワー検出手段のいずれか一方が、同等の平均パワーを伴い非変調連続波信号から８レベルの残留側波帯信号に切り換えた後、充電及び放電の時定数の比率を変化させて該非変調連続波信号と該８レベルの残留側波帯信号に対して同等の出力パワーを供給し、
前記監視制御手段は、該信号変調手段によって変化された該入力信号の利得を制御するために利得制御信号を該信号変調手段に印加する手段と、該平均入力及び平均出力パワー信号を比較し、入力信号を検出する検出手段を有する該信号変調手段を制御し、該入力信号のピークパワーレベルを表わす第一のピークパワー信号を提供する手段と、該第一のピークパワー信号と第一の基準信号とを比較し、比較結果に応じて第一の故障信号を提供する手段と、該第一の故障信号に応じて該増幅器を制御する手段とを有し、該第一の故障信号に応答して該増幅器の電源をオフにすることによって該システムを制御することを特徴とする電力増幅器システム。
【請求項２】
前記信号変調手段は前記入力信号の位相を変化させ、
前記監視制御手段は、該入力信号の位相を変化させために位相制御信号を前記信号変調手段に印加する印加手段を有し、
前記信号変調手段は、位相及び利得制御信号に応答して該入力信号の位相及び利得を変化させるベクトル変調器であり、
前記監視制御手段は、位相及び利得制御信号をベクトル変調器に印加することを特徴とする請求項１記載の電力増幅器システム。
【請求項３】
該増幅器の出力パワーを検出し、該出力信号のピークパワー値を表わす第二のピークパワー信号を提供する検出手段と、
該第二のピークパワー信号を第二の基準信号と比較し、第二の故障信号を提供する手段とを有し、
前記監視制御手段は、該第二の故障信号に応じて該システムを制御する手段を有し、
該監視制御手段は、該第二の故障信号に応じて該増幅器をオフにすることによって該システムを制御することを特徴とする請求項１記載の電力増幅器システム。
【請求項４】
該増幅器に関連した負荷ロードから反射した出力パワーを検出し、該反射されたパワーのピークパワーレベルを表わす第三のピークパワー信号を提供する検出手段と、
該第三のピークパワー信号を第三の基準信号と比較し、第三の故障信号を提供する手段とを有し、
該監視制御手段は、該第三の故障信号に応じて該システムを制御する手段を有し、
該監視制御手段は、該第三の故障信号に応答して該増幅器をオフにすることによって該システムを制御することを特徴とする請求項１記載の電力増幅器システム。
【請求項５】
該電力増幅器システムの動作を監視し、故障状態の検出に応答して誤り信号を提供する手段と、
該誤り信号に応答して該増幅器をオフにしその後オンにしそのオフとオンを所定の時間に亘り複数回繰り返し、該システムのオフ、オンの繰り返しの後に、検出された故障状態が継続しているかを決める手段を有し、
判断結果に応じて、該動作後においても故障状態が継続している場合には、該増幅器を、再びオンとすることなくオフオフとし、該検出された故障状態は、該電力増幅器の電流が過負荷状態であるか、該電力増幅器への該入力パワーが過負荷状態であるか、又は、該出力パワーが過負荷状態であるか、或いは、該増幅器に関連した負荷から反射したパワーが過負荷状態であるか、該ＤＣ電源電圧が高過ぎるか、該増幅器に関連したヒートシンクが過負荷状態であるか、又は、該電力増幅器に関連した自動利得制御が過負荷状態であるか、の何れかの状態であることを特徴とする請求項１記載の電力増幅器システム。
【請求項６】
ディジタルテレビ放送にてＲＦ入力信号を増幅する電力増幅器システムにおいて、
入力信号を受信し変調し、それより変調された第一の信号を提供する信号変調手段と、
閉成された際に該入力信号を該信号変調手段に供給する第一のスイッチ手段と、
Ｎ個の電力増幅器と、該第一の信号を各Ｎ個の電力増幅器へ夫々印加するＮ個の信号に分割しＮ個の増幅された信号を提供する分割手段と、
閉成された際にＤＣ電圧電源を該電力増幅器に印加する第二のスイッチ手段と、
出力回路へ印加するため、該Ｎ個の増幅された信号を組み合わせて増幅された出力信号を提供する組み合わせ手段と、
Ｎ個の電力増幅器の動作を監視し、該信号変調手段と該第一及び第二のスイッチ手段を制御する監視制御手段と、
該入力信号を検出し、平均入力パワーを表わす平均入力パワー信号を提供する第一のパワー検出手段と、
該増幅器の出力端子に接続され、平均出力パワーに相当する平均出力パワー信号を提供する第二のパワー検出手段とを有し、
前記第一のパワー検出手段又は前記第二のパワー検出手段のいずれか一方が、同等の平均パワーを伴い非変調連続波信号から８レベルの残留側波帯信号に切り換えた後、充電及び放電の時定数の比率を変化させて該非変調連続波信号と該８レベルの残留側波帯信号に対して同等の出力パワーを供給し、
前記信号変調手段は位相及び利得制御信号に応答して該入力信号の位相及び利得を変化させるベクトル信号変調器であり、前記監視制御手段は、位相及び利得制御信号を該ベクトル変調器に印加し、
該信号変調手段は該入力信号の利得を変化させ、また、該監視制御手段は、利得制御信号を該信号変調手段に印加して該入力信号の利得を制御し、或いは、該信号変調手段は該入力信号の位相を変化させ、また、該監視制御手段は、位相制御信号を該信号変調手段に印加して該入力信号の位相を変化させるように制御し、
更に、前記監視制御手段は、該平均入力と平均出力パワー信号とを比較し、該信号変調手段を制御することを特徴とする電力増幅器システム。
【請求項７】
該入力信号を検出し、該入力信号のピークパワーレベルに相当する第一のピークパワー信号を提供する検出手段と、
該第一のピークパワー信号を第一の基準信号と比較し、比較結果に応じて第一の故障信号を提供する手段とを有し、
該監視制御手段は、
該第一の故障信号に応じて該増幅器を制御する手段を有し、該第一の故障信号に応じて該増幅器をオフにすることによって該システムを制御し、該増幅器の出力パワーを検出し、該出力信号のピークパワー値を表わす第二のピークパワー信号を提供する検出手段と、
該第二のピークパワー信号を第二の基準信号と比較し、比較結果に応じて第二の故障信号を提供する手段とを有し、
該監視制御手段は、
該第二の故障信号に応じて該増幅器を制御する手段を有し、該第二の故障信号に応答して該増幅器をオフにすることによって該システムを制御することを特徴とする請求項６記載の電力増幅器システム。
【請求項８】
該増幅器に関連した負荷から反射された出力パワーを検出し、該反射したパワーのピークパワーレベルを表わす第三のピークパワー信号を提供する検出手段と、
該第三のピークパワー信号を第三の基準信号と比較し、第三の故障信号を提供する手段とを有し、該監視制御手段は、該第三の故障信号に応答して該システムを制御する手段を有し、
該監視制御手段は、
該第三の故障信号に応答して該増幅器の電源をオフにすることによって該システムを制御し、該電力増幅器システムの動作を監視し、故障状態の検出結果に応答して故障信号を提供する手段と、
故障信号に応答して該増幅器をオフにしその後オンにしこの増幅器をオフにしオンにする動作を所定の時間に亘り複数回繰り返し、該動作後に検出された故障状態が継続しているかを判断する手段を有し、検出された故障状態がオフ、オンの繰り返し後においても継続している場合には、該増幅器を、再びオンとすることなくオフ状態とすることを特徴とする請求項６記載の電力増幅器システム。
【発明の詳細な説明】
【０００１】
【発明の属する技術分野】
本発明は、ＲＦ入力信号の増幅におけるＲＦ電力増幅器システムに係り、特に、このシステムを監視し保護する監視装置を有する電力増幅器及び回路保護装置を提供するものである。
【０００２】
【従来の技術】
ＲＦ電力増幅器システムは、従来より、ラジオやテレビ等を含む放送を目的としＲＦ信号を増幅するためのシステムとして知られている。この様な電力増幅器は、ＮＴＳＣ、ＰＡＬ、ＳＥＣＡＭ形式で知られるアナログのテレビ信号か、或いは、ＤＴＶ形式で知られるデジタル信号による放送技術に使用されている。テレビ放送において使用される場合、テレビ信号の周波数帯域は、６ＭＨｚである。また、テレビチャンネルの属する周波数範囲は、約４７０から８６０ＭＨｚのＵＨＦ信号範囲であろう。
【０００３】
そのような電力増幅器へのＲＦ入力信号は、ＲＦ励振器から取得され、例えは、６ＭＨｚのオーダのチャンネル帯域をもつ、４７０から８６０の周波数帯で変調されたＲＦキャリアで構成される。この場合、この変調されたＲＦ入力信号は２０ミリワットのオーダの振幅をもつ。この入力信号は、４３ｄＢオーダの利得を示す４００ワットオーダのかなり高いレベルにまで増幅される。
【０００４】
ラジオやテレビ使用されるこれらの電力増幅器システムでは、ラジオやテレビが連続的に放送される為、どの様な場合においても、動作が連続的に行なわれることが必要とされる。
【０００５】
【発明が解決しようとする課題】
ＲＦ入力信号の増幅におけるＲＦ電力増幅器システムに係り、特に、このシステムを監視し保護する監視装置を有する電力増幅器及び回路保護装置を提供することを目的とする。
【０００６】
【課題を解決するための手段】
本発明では、ディジタルテレビ放送にてＲＦ入力信号を増幅する電力増幅器システムにおいて、入力信号を受信し変調し、それより変調された第一の信号を提供する信号変調手段と、閉成した際に該入力信号を該信号変調手段に供給する第一のスイッチ手段と、少なくとも一つの電力増幅器と、閉成した際にＤＣ電源電圧を該電力増幅器に印加する第二のスイッチ手段と、該電力増幅器の動作を監視し、該信号変調手段と該第一及び第二のスイッチ手段とを制御する監視制御手段と、前記入力信号を検出し、検出した該入力信号の平均入力パワーを表わす平均入力パワー信号を提供する第一のパワー検出手段と、該増幅器の出力端子に接続され、平均出力パワーを表わす平均出力パワー信号を提供する第二のパワー検出手段とを有し、前記第一のパワー検出手段又は前記第二のパワー検出手段のいずれか一方が、同等の平均パワーを伴い非変調連続波信号から８レベルの残留側波帯信号に切り換えた後、充電及び放電の時定数の比率を変化させて該非変調連続波信号と該８レベルの残留側波帯信号に対して同等の出力パワーを供給し、前記監視制御手段は、該信号変調手段によって変化された該入力信号の利得を制御するために利得制御信号を該信号変調手段に印加する手段と、該平均入力及び平均出力パワー信号を比較し、入力信号を検出する検出手段を有する該信号変調手段を制御し、該入力信号のピークパワーレベルを表わす第一のピークパワー信号を提供する手段と、該第一のピークパワー信号と第一の基準信号とを比較し、比較結果に応じて第一の故障信号を提供する手段と、該第一の故障信号に応じて該増幅器を制御する手段とを有し、該第一の故障信号に応答して該増幅器の電源をオフにすることによって該システムを制御するように構成される。
【０００７】
本発明では、また、ディジタルテレビ放送にてＲＦ入力信号を増幅する電力増幅器システムにおいて、入力信号を受信し変調し、それより変調された第一の信号を提供する信号変調手段と、閉成された際に該入力信号を該信号変調手段に供給する第一のスイッチ手段と、Ｎ個の電力増幅器と、該第一の信号を各Ｎ個の電力増幅器へ夫々印加するＮ個の信号に分割しＮ個の増幅された信号を提供する分割手段と、閉成された際にＤＣ電圧電源を該電力増幅器に印加する第二のスイッチ手段と、出力回路へ印加するため、該Ｎ個の増幅された信号を組み合わせて増幅された出力信号を提供する組み合わせ手段と、Ｎ個の電力増幅器の動作を監視し、該信号変調手段と該第一及び第二のスイッチ手段を制御する監視制御手段と、該入力信号を検出し、平均入力パワーを表わす平均入力パワー信号を提供する第一のパワー検出手段と、該増幅器の出力端子に接続され、平均出力パワーに相当する平均出力パワー信号を提供する第二のパワー検出手段とを有し、前記第一のパワー検出手段又は前記第二のパワー検出手段のいずれか一方が、同等の平均パワーを伴い非変調連続波信号から８レベルの残留側波帯信号に切り換えた後、充電及び放電の時定数の比率を変化させて該非変調連続波信号と該８レベルの残留側波帯信号に対して同等の出力パワーを供給し、前記信号変調手段は位相及び利得制御信号に応答して該入力信号の位相及び利得を変化させるベクトル信号変調器であり、前記監視制御手段は、位相及び利得制御信号を該ベクトル変調器に印加し、該信号変調手段は該入力信号の利得を変化させ、また、該監視制御手段は、利得制御信号を該信号変調手段に印加して該入力信号の利得を制御し、或いは、該信号変調手段は該入力信号の位相を変化させ、また、該監視制御手段は、位相制御信号を該信号変調手段に印加して該入力信号の位相を変化させるように制御し、更に、前記監視制御手段は、該平均入力と平均出力パワー信号とを比較し、該信号変調手段を制御するように構成される。
【０００８】
本発明に係る電力増幅器システムは、ベクトル変調器のような変調器を有し、入力信号を受信し変調し、変調された信号を提供する。また、該システムは、少なくとも一つの電力増幅器を有し、該電力増幅器の動作を監視し、監視結果に応じて変調器を制御することを特徴とする。また、該ベクトル変調器は、入力信号の利得を、電力増幅器の動作を監視し監視結果に応じて、変化する利得変化手段を有するようにしてもよい。
【０００９】
さらに、変調器は、該入力信号の位相を、システム動作を監視し監視結果に応じて、変化する位相信号変化手段を有することを特徴とする。
また、電力検出器は該入力信号のＲＭＳパワーを検出し、入力信号のＲＭＳパワーと基準値を比較し、また、増幅器システムの動作は、この比較結果に応じて調整される。
【００１０】
【発明の実施の形態】
以下、本発明の実施の形態を図面に基づいて説明する。
図１は、ＲＦ入力端末１０で変調されたＲＦ入力信号を受信し該信号を増幅しロードＬに供給する送信アンテナや関連装置等で構成される電力増幅器或いはシステムを示す図である。ＲＦ入力信号は、２０ミリワットのオーダの大きさを有し、テレビチャンネル用の６ＭＨｚを伴う４７０から８６０ＭＨｚの周波数範囲のＵＨＦ内の周波数を有する。信号は、出力信号がロードＬに印加された時に４００ワットのオーダに成るように、４３ｄＢの利得を伴い増幅器によって増幅される。
【００１１】
ＲＦ入力信号は、入力端末１０すなわちベクトル変調器に入力される。ベクトル変調器は、ＲＦ信号の振幅及び位相を変化する。ベクトル変調器で変化されたＲＦ信号は、ドライバＤＲによって２０ワット程の高いレベルまで増幅される。ドライバＤＲの出力はパワードライバＤＶへ供給される。ここで、ドライバＤＲとは、信号又はパワースプリッタと言われ、増幅された信号を個数Ｎで分割するドライバである。Ｎ個の信号は、Ｎ個の電力増幅器ＰＡ−１〜ＰＡ−Ｎ（例えば、Ｎを１２とする。）に印加される。電力増幅器ＰＡ−１〜ＰＡ−Ｎからの信号は、負荷Ｌに印加された出力信号を提供する為に、信号複合器ＣＢで複合される入力信号は、ＲＦ入力スイッチ２０がオン（閉成）の場合に、ベクトル変調器１６に印加される。ＲＦスイッチ２０は、マイクロコントローラＭＣによって制御される。詳細は、後述する。マイクロコントローラＭＣは、また、ＲＦ信号の位相と利得を変化するためにベクトル変調器を制御する。
【００１２】
ドライバーＤＲは、およそ２０ワットのＲＦ信号を分割器ＤＶで分割するため、およそ１４ｄＢの利得で信号を増幅する。この分割器は、パワースプリッタとして機能し、Ｎ個に印加したＲＦ信号を分割する。分割器は、Ｎ個に分割したＲＦ信号を電力増幅器ＰＡ−１〜ＰＡ−Ｎに各々に印加する。各電力増幅器は、抵抗Ｒ１、Ｒ２又はＲＮのような抵抗を経由してＤＣスイッチ４０に接続されるドレイン電極を有する電界効果トランジスタを含む。このスイッチがオンの場合には、各ドレイン電極はＤＣ電圧電源ＶDDに接続される。この電圧電源は、例えば、３２ボルトのオーダである。
【００１３】
電力増幅器ＰＡ−１〜ＰＡ−Ｎからの出力は、パワー複合器で複合される。出力回路５０での出力信号は、４００ワットのオーダである。
マイクロコントローラＭＣは、増幅器システムの動作を監視し、ＲＦ信号の位相か或いは利得を変化することによって、また、ＲＦスイッチ２０とＤＣスイッチ４０の動作を制御することによって、システムを制御する。
【００１４】
ＤＣスイッチ４０がオンになると、電流は電力増幅器ＰＡ−１〜ＰＡ−Ｎに流れる。電流は、関連する抵抗Ｒ１〜ＲＮを経由して流れる。電圧は、各抵抗を通過する毎に増していく。電圧は、電流レベルが高過ぎないか或いは低過ぎないかを判断し、適切な動作を行なうため、サンプリングされマイクロコントローラＭＣに供給される。また、スイッチ４０がオンになると、電流は抵抗Ｒ０とドライバＤＲを経由して流れる。この抵抗を経由した電圧はもまた、マイクロコントローラＭＣへ解析のために供給される。
【００１５】
多種の電力増幅器を経由して流れる電流を監視することに加え、マイクロコントローラＭＣは、また、パワー検出器を用いて、パワーのピークレベルと平均レベルを監視する。パワー検出器は、入力パワー検出器６０と出力パワー検出器６２と６４を有する。パワー検出器６０は、入力信号分割器７０に接続され、それぞれ入力ピークパワーと入力平均パワーに相当するＤＣ出力信号Ｖp1とＶA1を提供する。入力ピークパワーに相当するＶp1は、比較器７２で基準電圧値ＶR1と比較される。ピークパワーＶp1が基準電圧値を超えていたら、割り込み信号がマイクロプロセッサＭＣに供給され、マイクロプロセッサＭＣは、処理中のルーチンに割り込み、電力増幅器システムの電源をオフにするための故障処理を行なう。
【００１６】
検出器６２は、出力送信ライン５０に連結される入射信号連結器８０に接続される。この検出器６２は、出力送信ライン５０で送信方向での平均出力パワーに相当するＤＣ電圧ＶA2と同様にピーク出力パワーに相当するＤＣ電圧信号Ｖp2を提供する。信号Ｖp2は、比較器７４で基準値ＶR2と比較され、信号Ｖp2が基準値を超えていたら割り込み信号がマイクロコントローラＭＣに供給され、マイクロコントローラＭＣにより電力増幅器システムの電源をオフにするため故障処理が行なわれる。連結器８２は反射力を感知するために使用され、検出器６４に接続される。検出器６４は、ピーク反射力に相当する信号Ｖp3と平均反射力に相当するＶA3を含むＤＣ電圧信号を供給する為に動作する。信号Ｖp3が基準値ＶR3を超えていたら、比較器７６は、割り込み信号をマイクロコントローラＭＣに印加する。マイクロコントローラＭＣにより電力増幅器システムの電源をオフにするため故障処理が行なわれる。監視された平均パワー信号ＶA1、ＶA2、ＶA3は、必要に応じてＲＦ信号の利得及び／又は位相を変化するようにプログラムされているマイクロコントローラＭＣに供給される。
【００１７】
各パワー検出器は、検出器６０と同様に構成される。この検出器は、対応する入力又は出力伝送ラインからＲＦ信号のサンプルを受信する包路線復調器６１を含む。搬送信号は、例えば、６００ＭＨｚのオーダでテレビ用信号の基本帯域が６ＭＨｚの帯域となるものである。復調器６１は、復調された基本帯域信号のみを残して搬送信号（６００ＭＨｚ）を効果的に分割する。該信号は、積分器６３及びピークパワー検出器６５に印加されるアナログ正信号であっても良い。
【００１８】
ピーク検出器６５が、ピーク入力パワーに相当する電圧ＶP1における出力信号を提供するのに対して、積分器６３は、平均入力パワーに相当する電圧ＶA1での出力信号を提供する。復調器６１と積算器６３はＲＭＳ検出器を形成する。
各検出器６０及び６２に位置する積分器６３は、例えば、図３に示されるように形成される。
【００１９】
デジタル８−ＶＳＢ形式は、８レベルの残留側波帯信号と言われるる。該信号の基本帯域は６ＭＨｚである。図１に示される電力増幅器システムの効果的なパワーレベル制御が提供されることが望まれる。上記を達成するためには、対応する平均パワーに比例する出力信号Ｖoutを提供するパワー検出器が提供されることが必要である。従来は、回路設計者は、入力基本帯域信号をＲＭＳパワーに比例するＤＣレベルに変換する為に、従来からのＲＭＳ検出器を採用してきた。この従来方法は、下記に述べる等式に応じてなされている。
【００２０】
【数１】
0004176250.tif 000002
【００２１】
現在、市販されている上記等式を演算する集積回路は、１０ｋＨｚまでの低い周波数で使用される場合には適しているが、このような集積回路では、ディジタルテレビ信号の場合における６ＭＨｚ幅の十分に高い周波数を持つ基本帯域信号に相当するＲＭＳ信号を提供することは不可能である。ＶinにＶinを掛けＶin2を計算するような乗法算術を必要としない入力電圧ＶinのＲＭＳ値に比例する出力電圧Ｖoutを求める回路を提供する必要がある。該回路は、後述される図３に示される回路によって達成される。
【００２２】
入力電圧Ｖinは、入力端末１００に印加され、出力電圧ＶOUTは、出力端末１０２で取得される。広帯域使用可能増幅器１０４は、非反転入力１０６に接続されるＲＣ充電経路及び反転入力１０８に接続されるＲＣ放電経路を備えて提供される。充電経路は、抵抗Ｒ１及びコンデンサＣ１を有し、抵抗Ｒ１及びコンデンサＣ１は、増幅器１０４の入力１０６と接続される接続点を有する。コンデンサＣ１の他方は、接地回路に接地される。放電経路は、抵抗Ｒ２及びコンデンサＣ２を有し、抵抗Ｒ２及び該コンデンサＣ２は、増幅器１０４の入力１０８と接続される接続点を有する。該コンデンサＣ２の他方は、接地面に接地される。ダイオードＤ１は、増幅器１０４の出力１０５と出力回路１０２の間で接続される。出力回路１０２は、回路パス１１０経由で増幅器１０４の反転回路１０８に接続される。
【００２３】
図３中の回路は、充電及び放電時定数を決定し個別に制御された充電及び放電時間を提供する分離ＲＣ回路を有する。該回路は、抵抗Ｒ１及びＲ２の値を変化させることで調整されるため、充電及び放電時定数の比率は、検出器によって、ＶｉｎのＲＭＳ値に比例した出力電圧Ｖoutとして出力される。該操作方法を以下に説明する。
【００２４】
ダイオードＤ１が出力１０５と出力回路１０２との間で接続されている状態において、Ｒ２＊Ｃ２がＲ１＊Ｃ１より等しいか大きい場合に、Ｖ＋が増加すると、電圧ＶoutとＶ−が電圧Ｖ＋に従う。瞬間電圧Ｖ＋が減少すると、電圧ＶoutはＶ＋が再び増加するまで放電時間Ｒ２＊Ｃ２に従い、この動作が繰り返される。電圧Ｖ＋が充電時定数Ｒ１＊Ｃ１で電圧Ｖinに従うため、電圧Ｖoutは時定数Ｃ１＊Ｒ１の上昇で電圧Ｖinに従い、時定数Ｃ２＊Ｒ２の下降で電圧Ｖinに従う。
【００２５】
時定数Ｒ２＊Ｃ２が十分に長い場合（（１／（Ｃ２＊Ｒ２））＜ｆlow、ｆlowは、包絡線復調された信号のスペクトルの内の最も低い周波数を示す。）、時定数Ｃ１＊Ｒ１をＣ１＊Ｒ１＝０からＣ１＊Ｒ１＝Ｃ２＊Ｒ２へ操作することによって電圧Ｖinの最大値からＶinの平均値までの範囲で、電圧Ｖoutが生成される。
【００２６】
ダイオードＤ１がＤ２に取り替えられ（破線で示される）た場合は、条件はＲ１＊Ｃ１はＲ２＊Ｃ２より大きくなる。時定数Ｒ１＊Ｃ１が十分に長い場合（（１／（Ｃ２＊Ｒ２））＜ｆlow）、時定数Ｃ２＊Ｒ２をＣ１＊Ｒ１から０（ゼロ）へ操作することによって電圧Ｖinの平均値からＶinの最小値までの範囲で、電圧Ｖoutが生成される。
【００２７】
図１の電力増幅器システムにおいて、８−ＶＳＢ基本帯域信号を有する構成を示している。０から６ＭＨｚの周波数範囲の白色雑音のようなスペクトルであり、該範囲内でほぼ同一に分配されている。目的は、回路構成を複雑にする乗法演算（Ｖin＊Ｖin）を必要としない、電圧ＶinのＲＭＳ値に比例して電圧Ｖoutを発生させる為に、検出器のための充電及び放電の時定数の比率を調整することである。
【００２８】
上記目的は、８−ＶＳＢ変調したＲＦによって生じた電圧ＶoutをＣＷによって生じた電圧Ｖoutに帰することによって達成される。変調されていない（ＣＷ）ＲＦ信号の変調基本帯域はゼロに等しく、電圧ＶinはＤＣ電圧である。ＤＣ電圧のＲＭＳ値は、その電圧自身と等しい。電圧Ｖinとして印加されると、検出器の出力にＶout＝Ｖinとして出現する。電圧Ｖoutは、与えられたＲＦの平均パワーに、ＲＭＳ電圧の基準値として使用される。同等の平均パワーを伴いＣＷから８−ＶＳＢ信号に切り換えた後、時定数を調整すると、電圧Ｖoutは同じ値を示す。
【００２９】
時定数を調整する方法は、或る電圧Ｖoutを達成するには、抵抗Ｒ１とＲ２の値を調整すれば良い。従って、ＲＭＳ検出器は、ＣＷ（変調無し）と８−ＶＳＢの２種類のＲＦ変調のために、真のＲＭＳ値を発生する。
図３は、既知のパワーレベルＰの非変調連続波（ＣＷ）信号を示す図である。ＲＦ入力端末１０（図１参照）に印加しても良い。電圧Ｖoutの値が観測される。連続波は、既知のパワーレベルＰと同じ８−ＶＳＢと入れ換えても良い。再び、出力電圧Ｖoutが観測される。入力パワーレベルは同じＰであったので、電圧Ｖoutの値は、両方の場合に同じでなければならない。同じにならない場合は、充電及び放電時定数の比率を変化するために、充電及び放電経路の抵抗Ｒ１とＲ２の値は変化される。一端、出力電圧が同一になると、抵抗の値は固定され、ＣＷと８−ＶＳＢ基本帯域の両方の信号に対して同じ電圧Ｖoutを達成するために最適化される。
【００３０】
図４から図９は、マイクロコントローラＭＣがプログラムされている方法を説明するフローチャートである。
特に、図４は、故障発生の状態であると判断された場合に、電力増幅器をオフにするための故障処理ルーチン２００を説明するフローチャートである。ステップ２０２で、故障発生の状態であると判断され、変調オフ指示が発生すると、変調（すなわち、図１の電力増幅器）をオフにしなければならない。変調器をオフにする為には、例えば、マイクロコントローラＭＣによって、ＲＦスイッチ２０とＤＣスイッチ４０をオフにし、最小の利得を得るために変調器１６を調整し制御することによって達成される。
【００３１】
電力増幅器をオンにし故障が発生しているかを判断する３度確認処理が実施され、状態が再び監視される。この場合、故障が発生しているかを判断するため１０秒間隔で３回、電力増幅器をオンにする。
次に、電力増幅器が３度確認処理によってオンになったかを判断するステップ２０６に進む。オンである場合は、ステップ２０９へ進み、継続して監視を続ける。電力増幅器を再起動する試みがうまくいかなかった場合は、電力増幅器がシャットダウンしたまま再起動されない間、ステップ２０８を行なう。このシャットダウン処理は、ベクトル変調器１６の利得を落とすのと同様に、マイクロコントローラがＲＦスイッチ２０をオフに制御し、ＤＣスイッチ４０をオフに制御することを含む。
【００３２】
図５は、緊急レベルの故障が検出されるとマイクロコントローラによって使用される緊急処理ルーチン２５０を説明する図である。このルーチンは、マクロコントローラが、図１のパワー増幅変調器をオフにする目的で、ピークパワー比較器７２、７４又は７６の一つから受信した割り込み信号に応じ、上記説明の図４に示される故障処理ルーチン２００を実行する処理ステップ２５２を含む。比較器７２は、入力ピークパワー信号ＶP1が基準値ＶR1より大きい場合に割り込み信号を提供する。同様に、比較器７４は、出力方向のピークパワー信号ＶP2が基準値ＶR2を超える場合は、割り込み信号を提供する。また、比較器７６は、反射したピークパワー信号ＶP3が基準値ＶR3を超えた（ＶＳＷＲの超過状態に相当する）場合に、割り込み信号を提供する。
【００３３】
図６は、高速監視処理ルーチン３００を説明する図である。このルーチンにおいて、パレットまたは電力増幅器ＰＡ−１〜ＰＡ−Ｎの内いずれかが過負荷電流の状態であるかを、ステップ３０２で判断する。電流が過負荷状態である場合には、故障処理ルーチン２００（図４参照）に進む。そうでなければ、処理は、ステップ３０４に進む。
【００３４】
ステップ３０４の説明の前に図７を説明する。図７は、電力増幅器ＰＡ−１〜ＰＡ−Ｎの一つが過負荷電流の状態であるかを判断するルーチンを説明する図である。該ルーチンは、開始処理ステップ３０３で始まり、監視動作において、電力増幅器ＰＡ−１の電流に相当する電流サンプルＩS1がステップ３０５で取得される。ステップ３０７において、電流サンプルＩS1は、高いレベルの合格値に相当する基準値サンプルＩHと比較される。電流サンプルが該高いレベルの合格値を超えていれば、図４を参照し前述された故障処理２００が実行される。該ルーチンは、電力増幅器ＰＡ−１〜ＰＡ−Ｎの各々を監視するために利用される。
【００３５】
図６に示されるルーチン３００を説明する。電力増幅器の何れも過負荷電流の状態でない場合は、ステップ３０２で判断されたように、入力パワーが過負荷されているかが判断されるステップ３０４が実行される。該ステップにて、平均入力パワーに相当する信号は信号ＶA1であり、マイクロコントローラＭＣで合格レベルの基準値と比較される。過負荷状態であると判断された場合は、故障処理２００へと進む。
【００３６】
入力パワーが過負荷状態でない場合は、出力パワーが過負荷状態であるかが判定するステップ３０８へ進む。これは、平均出力パワーに相当する信号ＶA2を合格基準レベル値と比較することで達成される。信号ＶA2が基準レベル値を超えている場合は、故障処理ルーチン２００へと進む。そうでなければ、ステップ３１０へ進む。
【００３７】
ステップ３１０にて、反射されたパワーが過負荷状態であるかが判断される。これは、平均反射パワー信号ＶA3と基準値とを比較することによって決定される。また、反射パワーが過負荷状態である場合は、故障処理ルーチン２００へと進む。
図８は、低速監視処理ルーチン３５０を説明する図である。該ルーチンにて、ＤＣ電圧ＶDDが高過ぎるかが判断される。これは、電圧と基準レベル値とを比較することで達成される。ＤＣ電圧ＶDDが高過ぎる場合には、故障処理２００に進む。そうでない場合は、ステップ３５４へ進む。
【００３８】
ステップ３５４で、ヒートシンクの温度が高過ぎないかが判断される。これは、発生するヒートシンク８１の温度を基準値と比較することにより取得される。ヒートシンク８１が過負荷状態である場合は、故障処理ルーチン２００に進む。そうでなければ、ステップ３５６へ進む。
ステップ３５６にて、自動利得制御失敗（ＡＧＣ失敗）が発生しているかが判断される。ＡＧＣ失敗が発生している場合は、故障処理ルーチン２００へと進み、そうでなければ、監視動作を継続する。
【００３９】
図９は、自動利得制御（ＡＧＣ）ルーチン４００を示す。この処理は、電力増幅器ＰＡ−１〜ＰＡ−Ｎが故障したかどうかをチェックするステップ４０２を処理し、故障した電力増幅器の数（Ｎ）が３より多いかを判断するステップ４０４へ進む。故障した電力増幅器の数（Ｎ）が３より多い場合は、故障処理ルーチン２００に進む。そうでなければ、（信号ＶP2に対応する）出力パワーサンプルＰOUTが、１２／（１２−Ｎ）の率で出力パワーの実測値を掛け合わせることによって再度計算され、出力パワー補償が決定される。この例では、電力増幅器の合計数は１２でどの電力増幅器も故障しなければ、パワー出力の新しい値が古い値と等しくなる。しかしながら、電力増幅器の幾つかが故障した場合は、出力パワーを決定するために、ステップ４０６に従い新しい計算が行なわれなければならない。
【００４０】
その後、処理はステップ４０８へ進み、図１０中の符号４０８で示されるブロック内の記述に従い、制御出力信号変分ΔＶは生成される。
さらに、ΔＶの絶対値がΔmaxより大きいか（つまり、｜ΔＶ｜＞Δmax）を判断するステップ４１０へ進む。ΔＶの絶対値がΔmaxより大きい場合は、ステップ４１２で、ΔＶの絶対値（つまり、｜ΔＶ｜）をΔmaxの値と等しくする。  さらに、ステップ４１４へ進み、制御電圧ベクトルΔmaxのベクトル量はΔmax＋ΔＶに等しく成るように変更される。
【００４１】
次に、制御電圧ベクトルＶMが０（ゼロ）より大きくＶMの最大量ＶMFよりも小さいかを判断するステップ４１６へ進む。
その後、ステップ４１８で、マイクロコンピュータは外部電源８３（図１参照）からφ1とφ2で参照される位相信号を読み取る。該位相信号は、次の判断で使用される。ステップ４２０において、φが０（ゼロ）以上でπ／２以下（つまり、０＜φ＜π／２）であるかが判断される。
【００４２】
次に、ベクトル変調器１６に供給されるベクトルが生成されるステップ４２２へと進む。生成されるベクトルには、ＶMｃｏｓφに等しいＩvectorとＶMｓｉｎφに等しいＱvectorを含む。
さらに、ステップ４２４へと進み、処理中の信号の位相と利得を変化するためにベクトル変調器１６にＩvectorとＱvectorが供給される。
【００４３】
その後、ステップ４２６において、例えば、２０ｍｓ程の適当な待ち時間の後、ステップ４２８で、ＡＧＣ制御が失敗したかが判断される。失敗の場合、故障処理ルーチン２００へと進む（図４参照）。
すなわち上記説明より、自動利得制御処理４００は、電力増幅器ＰＡ−１〜ＰＡ−Ｎ  の内失敗した電力増幅器の数を決定することによって、電力増幅器（図１に示される電力増幅器システム）の動作を保護及び制御する。つまり、３個以上の電力増幅器が故障した場合には、電力増幅器システムは、故障処理ルーチン２００を実行することによってシャットダウンされる。しかしながら、３個未満の電力増幅器が故障した場合は、処理中の信号の位相と利得を調整するため、ベクトル変調器１６はＩvectorとＱvectorによって制御される。
【図面の簡単な説明】
【図１】本発明の一実施例の装置の構成を示す略図である。
【図２】本発明の検出器のブロック図である。
【図３】本発明の積算器の構成を示す略図である。
【図４】本発明の処理ルーチンの手順を示すフローチャートである。
【図５】本発明の他の処理ルーチンの手順を示すフローチャートである。
【図６】本発明の他の処理ルーチンの手順を示すフローチャートである。
【図７】本発明の他の処理ルーチンの手順を示すフローチャートである。
【図８】本発明の他の処理ルーチンの手順を示すフローチャートである。
【図９】本発明の他の処理ルーチンの手順を示すフローチャートである。
【図１０】本発明の他の処理ルーチンの手順を示すフローチャートである。
【符号の説明】
１０              ＲＦ入力端末
１６              ベクトル変調器
６０、６２、６４  検出器
６１              包絡復調器
６３              積算器
６５              パワーピーク検出器
７２、７４、７６  比較器
８０              入射信号連結器
８１              ヒートシンク
ＣＢ              複合器
ＤＶ              分割器
ＤＲ              ドライバ
ＭＣ              マイクロコントローラ
ＰＡ−１〜ＰＡ−Ｎ  電力増幅器
２００            故障処理
２５０            緊急処理
３００            高速監視処理
３５０            高速監視処理
４００            ＡＧＣ処理
【図１】
0004176250.tif 000003
【図２】
0004176250.tif 000004
【図３】
0004176250.tif 000005
【図４】
0004176250.tif 000006
【図５】
0004176250.tif 000007
【図６】
0004176250.tif 000008
【図７】
0004176250.tif 000009
【図８】
0004176250.tif 000010
【図９】
0004176250.tif 000011
【図１０】
0004176250.tif 000012